(57)【特許請求の範囲】
【請求項１】
受信可能なディジタル放送波を検出する検出手段と、
上記ディジタル放送波に重畳される複数の放送番組の提供元情報と、当該放送番組に対して固有に割り当てられた識別子とをそれぞれ対応付けると共に所定順に並べてリストを作成するリスト作成手段と、
現時点で作成された現リストと、その直前に作成された前リストとにおける上記識別子が共通する場合には、上記識別子に関連付けられたサブ項目に上記提供元情報に関する詳細情報を付加する付加手段と、
上記識別子に基づいて、上記リストの上記提供元情報を表示画面に表示させると共に、対応する上記サブ項目の内容をポップアップ表示させる表示制御手段と
を具えることを特徴とするディジタル放送受信装置。
【請求項２】
上記識別子は、ＬＣＮ(Logical Channel Number)でなり、
上記リストは、上記提供元情報と上記ＬＣＮとをそれぞれ対応付ると共に昇順又は降順に並べて作成された
ことを特徴とする請求項１に記載のディジタル放送受信装置。
【請求項３】
上記付加手段は、
現時点で作成された現リストと、その直前に作成された前リストとに相違する識別子がある場合には、その相違する識別子と、対応する放送番組の提供元情報とを上記前リストに付加する
ことを特徴とする請求項１に記載のディジタル放送受信装置。
【請求項４】
上記詳細情報には、少なくとも上記ディジタル放送波の発信元と、送信チャンネルとが含まれた
ことを特徴とする請求項１に記載のディジタル放送受信装置。
【請求項５】
上記表示制御手段は、
ポップアップ表示させた上記サブ項目のうち、最新に付加された上記詳細情報を反転表示させた
ことを特徴とする請求項１に記載のディジタル放送受信装置。
【請求項６】
上記表示制御手段は、
上記リストにおける放送番組のディジタル放送波が順次探索されるとき、その探索されている放送番組の識別子に関連付けられたサブ項目をポップアップ表示させると共に、当該サブ項目のなかでその放送番組に対応する詳細情報を反転表示させた
ことを特徴とする請求項１に記載のディジタル放送受信装置。
【請求項７】
受信可能なディジタル放送波を検出する第１のステップと、
上記ディジタル放送波に重畳される複数の放送番組の提供元情報と、当該放送番組に対して固有に割り当てられた識別子とをそれぞれ対応付けると共に所定順に並べてリストを作成する第２のステップと、
現時点で作成された現リストと、その直前に作成された前リストとにおける上記識別子が共通する場合には、上記識別子に関連付けられたサブ項目に上記提供元情報に関する詳細情報を付加する第３のステップと、
上記識別子に基づいて、上記リストの上記提供元情報を表示画面に表示させると共に、対応する上記サブ項目の内容をポップアップ表示させる第４のステップと
を具えることを特徴とする記載のディジタル放送受信方法。
【請求項８】
コンピュータに対して、
ディジタル放送波に重畳される複数の放送番組の提供元情報と、当該放送番組に対して固有に割り当てられた識別子とをそれぞれ対応付けると共に所定順に並べてリストを作成する第１の処理と、
現時点で作成された現リストと、その直前に作成された前リストとにおける上記識別子が共通する場合には、上記識別子に関連付けられたサブ項目に上記提供元情報に関する詳細情報を付加する第２の処理と、
上記識別子に基づいて、上記リストの上記提供元情報を表示画面に表示させると共に、対応する上記サブ項目の内容をポップアップ表示させる第３の処理と
を実行させることを特徴とするプログラム。
【発明の詳細な説明】
【技術分野】
【０００１】
本発明は、ディジタル放送受信装置、ディジタル放送受信方法及びプログラムに関し、例えば自動選局する場合に好適なものである。
【背景技術】
【０００２】
図１２に示すように、ディジタル放送（図１２（Ａ））では、１つの送信チャンネル（搬送周波数）に対して複数の放送局における放送番組が多重化されているため、１つの送信チャンネル（搬送周波数）につき１つの放送番組とするアナログ放送（図１２（Ｂ））に比して、多くの情報を提供することができる。
【０００３】
またディジタル放送では、基地局ごとに異なる送信チャンネル（搬送周波数）が割り当てられており、図１３に示すように、各基地局Ｔ１〜Ｔ３は、自己に割り当てられた搬送周波数でなる搬送波に対して、情報提供源ＩＳから供給される複数の放送番組のデータＰＤを重畳し、当該重畳した搬送波をディジタル放送波ＢＷ１〜ＢＷ３として発信する。このようにしてディジタル放送では、ディジタル放送波ＢＷ１〜ＢＷ３の干渉を防止する対策が施されている。
【０００４】
しかしながら、例えば基地局Ｔ１の放送エリアから基地局Ｔ２の放送エリアに移動した場合、たとえ同じ放送番組であっても送信チャンネルが異なるため、ディジタル放送受信装置は、基地局Ｔ２から発信されるディジタル放送波ＢＷ２を受信できなくなる。
【０００５】
この場合、従来のディジタル放送受信装置では、ある基地局Ｔの放送エリアから別の基地局Ｔに移動するたびに、その都度ユーザが、移動先の基地局Ｔにおける放送エリアで受信可能な放送番組を選局しなければならず、煩雑な設定操作を要求するといった問題があった。
【０００６】
かかる問題の解決策として、例えば、ＯＦＤＭ(Orthogonal Frequency Division Multiplexing)変調信号における番組情報、送信局位置情報及びチャンネル周波数等を登録し、当該登録された各種情報と、基地局から受信した信号に重畳される各種情報とに基づいて、移動受信時に異なる放送エリアで放送されている同じ番組が存在するときには、それぞれの放送エリアで自動的に同じ番組を選局するディジタル放送受信装置が提案されている（例えば特許文献１参照）。
【０００７】
このディジタル放送受信装置によれば、受信位置の移動による放送エリアの変化によっても同じ番組を視聴し続けることができる。
【特許文献１】特開平８−２３７５７０号公報
【発明の開示】
【発明が解決しようとする課題】
【０００８】
ところがかかる構成のディジタル放送受信装置では、番組情報等の登録手法については明らかでないが、一般には図１４に示すように、現放送エリアで受信した放送番組順に、当該放送番組の番組情報を通し番号に割り当て、当該放送エリアごとに番組リストを順次作成するようになされている。
【０００９】
この場合、通し番号に対して受信順に番組情報が割り当てられていることから、放送エリアの変化前に同じ放送番組があったとしても、その放送番組に割り当てられる通し番号は常に異なる。従って、このディジタル放送受信装置では、放送エリアが変化しても同じ番組を視聴し続けることはできたとしても、当該番組以外の番組の視聴を選局リストから選択する場合には、煩雑化するといった問題があった。
【００１０】
ここで、ロンドン近郊におけるディジタル放送波の送信状況を例として図１５に示す。ロンドン地点ＳＰを中心とした８０[km]圏内では９つもの基地局が存在し、これら基地局それぞれから複数の送信チャンネルのディジタル放送波が送信されている。１つの送信チャンネルには２０〜３０の放送番組が重畳されているため、１つの放送エリアにつきおよそ３００の放送番組が選択可能となる。従って、選局リストから所望の番組をユーザが選択するには、非常に煩雑であることは明らかである。
【００１１】
本発明は以上の点を考慮してなされたもので、使い勝手を向上し得るディジタル放送受信装置、ディジタル放送受信方法及びプログラムを提案しようとするものである。
【課題を解決するための手段】
【００１２】
かかる課題を解決するため本発明は、ディジタル放送受信装置であって、受信可能なディジタル放送波を検出する検出手段と、ディジタル放送波に重畳される複数の放送番組の提供元情報と、当該放送番組に対して固有に割り当てられた識別子とをそれぞれ対応付けると共に所定順に並べてリストを作成するリスト作成手段と、現時点で作成された現リストと、その直前に作成された前リストとにおける識別子が共通する場合には、識別子に関連付けられたサブ項目に提供元情報に関する詳細情報を付加する付加手段と、識別子に基づいて、リストの提供元情報を表示画面に表示させると共に、対応するサブ項目の内容をポップアップ表示させる表示制御手段とを設けるようにした。
【００１３】
従ってこのディジタル放送受信装置では、放送番組に対して固有の識別子を基準として、提供元情報と、対応する詳細情報とが常に一定の秩序を保って表示されるため、ユーザは、提供元情報と、対応する詳細情報とを直感的に把握することができる。
【００１４】
また本発明は、ディジタル放送受信方法であって、受信可能なディジタル放送波を検出する第１のステップと、ディジタル放送波に重畳される複数の放送番組の提供元情報と、当該放送番組に対して固有に割り当てられた識別子とをそれぞれ対応付けると共に所定順に並べてリストを作成する第２のステップと、現時点で作成された現リストと、その直前に作成された前リストとにおける識別子が共通する場合には、識別子に関連付けられたサブ項目に提供元情報に関する詳細情報を付加する第３のステップと、  識別子に基づいて、リストの提供元情報を表示画面に表示させると共に、対応するサブ項目の内容をポップアップ表示させる第４のステップとを設けるようにした。
【００１５】
従ってこのディジタル放送受信方法では、放送番組に対して固有の識別子を基準として、提供元情報と、対応する詳細情報とが常に一定の秩序を保って表示されるため、ユーザは、提供元情報と、対応する詳細情報とを直感的に把握することができる。
【００１６】
さらに本発明は、コンピュータに対して、ディジタル放送波に重畳される複数の放送番組の提供元情報と、当該放送番組に対して固有に割り当てられた識別子とをそれぞれ対応付けると共に所定順に並べてリストを作成する第１の処理と、現時点で作成された現リストと、その直前に作成された前リストとにおける識別子が共通する場合には、識別子に関連付けられたサブ項目に提供元情報に関する詳細情報を付加する第２の処理と、識別子に基づいて、リストの提供元情報を表示画面に表示させると共に、対応するサブ項目の内容をポップアップ表示させる第３の処理とを実行させるようにした。
【００１７】
従って、このプログラムでは、放送番組に対して固有の識別子を基準として、提供元情報と、対応する詳細情報とが常に一定の秩序を保って表示されるため、ユーザは、提供元情報と、対応する詳細情報とを直感的に把握することができる。
【発明の効果】
【００１８】
本発明によれば、ディジタル放送波に重畳される複数の放送番組の提供元情報と、当該放送番組に対して固有に割り当てられた識別子とをそれぞれ対応付けると共に所定順に並べてリストを作成し、現時点で作成された現リストと、その直前に作成された前リストとにおける識別子が共通する場合には、識別子に関連付けられたサブ項目に提供元情報に関する詳細情報を付加し、当該識別子に基づいて、リストの提供元情報を表示画面に表示させると共に、対応するサブ項目の内容をポップアップ表示させるようにしたことにより、提供元情報と、対応する詳細情報とを常に一定の秩序を保って表示することで、ユーザに対して提供元情報と、対応する詳細情報とを直感的に把握させることができ、かくして使い勝手を向上することができる。
【発明を実施するための最良の形態】
【００１９】
以下図面について、本発明の一実施の形態を詳述する。
【００２０】
（１）本実施の形態によるディジタル放送受信装置の全体構成
図１において、車両に搭載されたディジタル放送受信装置１を示す。このディジタル放送受信装置１は、チューナ部２と、データ処理部３と、これらチューナ部２及びデータ処理部３の制御を司る制御部４とによって構成される。
【００２１】
チューナ部２には、放送エリア内の基地局から送信される複数のディジタル放送波が、車載アンテナＡＴを介して供給されると共に、搬送周波数を表す周波数指定データＤ１が制御部４から与えられる。
【００２２】
チューナ部２の周波数転換部２１は、この車載アンテナＡＴから供給される複数のディジタル放送波のうち、周波数指定データＤ１に表された搬送周波数のディジタル放送波ＢＳを選択し、これをＯＦＤＭ(Orthogonal Frequency Division Multiplexing)復調部２２に送出する。このとき周波数転換部２１は、ＯＦＤＭ復調部２２からフィードバックされるＡＧＣ信号Ｓ１に基づいて、ディジタル放送波ＢＳの出力を一定のレベルに調整する。
【００２３】
ＯＦＤＭ復調部２２は、周波数転換部２１から送出されるディジタル放送波ＢＳの信号レベルと、予め規定された信号レベルとの差をＡＧＣ信号Ｓ１として周波数転換部２１にフィードバックする。またＯＦＤＭ復調部２２は、ディジタル放送波ＢＳに対してＯＦＤＭ復調処理を施すことによって、当該ディジタル放送波ＢＳに重畳されたＭＰＥＧ２(Moving Picture Experts Group Layer-2)トランスポートストリーム（以下、これを単にトランスポートストリームと呼ぶ）ＴＳを復元し、これをデータ処理部３のフロントエンド３１に送出する。
【００２４】
フロントエンド３１は、チューナ部２から送出されるトランスポートストリームＴＳに対して誤り訂正及びスクランブル解除等の各種前処理をそれぞれ施し、当該前処理を施したトランスポートストリームＴＳをデマルチプレクサ３２に送出する。
【００２５】
このデマルチプレクサ３２には、フロントエンド３１から供給されるトランスポートストリームＴＳが入力されると共に、制御部４から供給される番組指定データＤ２が入力される。デマルチプレクサ３２は、トランスポートストリームＴＳをバッファ３３に一時的に記憶すると共に、当該一時的に記憶したトランスポートストリームＴＳを所定単位ごとに任意の順序でバッファ３３から読み出す。
【００２６】
そしてデマルチプレクサ３２は、トランスポートストリームＴＳに多重化された複数の放送番組のデータから、番組指定データＤ２に表された放送番組名に対応するＭＰＥＧビデオデータＭＶＤ、テロップ等でなるＭＰＥＧサブデータＭＳＤ及びＭＰＥＧオーディオデータＭＡＤを分離し、これらを対応するビデオデコーダ３４、サブビデオデコーダ３５及びオーディオデコーダ３６にそれぞれ送出する。
【００２７】
ビデオデコーダ３４は、ＭＰＥＧビデオデータＭＶＤに対して、ＭＰＥＧ圧縮符号化方式に準拠した所定の伸張処理を施し、この結果得られるビデオデータＶＤを合成部３７に送出する。サブビデオデコーダ３５は、ＭＰＥＧサブデータＭＳＤに対して、ＭＰＥＧ圧縮符号化方式に準拠した所定の伸張処理を施し、この結果得られるサブデータＳＤを合成部３７に送出する。
【００２８】
合成部３７は、このサブデータＳＤをビデオデータＶＤに重畳し、当該合成されたビデオデータ（以下、これを合成ビデオデータと呼ぶ）ＶＳＤを映像信号生成部３８に送出する。
【００２９】
映像信号生成部３８は、合成ビデオデータＶＳＤに対してＡ／Ｄ(Analog/Digital)処理を施した後に、例えばＰＡＬ(Phase Alternation by Line)又はＮＴＳＣ(National Television System Committee)等のテレビジョン方式に準拠した所定のフォーマット変換処理を施す。そして映像信号生成部３８は、このフォーマット変換処理結果として得られる映像信号ＶＳを車載モニタ（図示せず）に出力する。
【００３０】
一方、オーディオデコーダ３６は、ＭＰＥＧオーディオデータＭＡＤに対して、ＭＰＥＧ圧縮符号化方式に準拠した所定の伸張処理を施し、この結果得られるオーディオデータＡＤを音声信号生成部３９に送出する。音声信号生成部３９は、オーディオデータＡＤに対してＡ／Ｄ処理を施し、この結果得られる音声信号ＡＳを車載モニタ（図示せず）に出力する。
【００３１】
このようにしてこのディジタル放送受信装置１は、所定の放送番組を車載モニタを介して視聴させることができるようになされている。
【００３２】
（２）番組リスト作成機能
かかる構成に加えてこのディジタル放送受信装置１には、現放送エリアで受信可能な放送番組のリスト（以下、これを番組リストと呼ぶ）を作成する番組リスト作成機能が搭載されている。
【００３３】
この実施の形態の場合、かかる番組リスト作成機能は、制御部４によって実現される。制御部４は、このディジタル放送受信装置１全体の制御を司るＣＰＵ(Central Processing Unit)４０を有し、ＣＰＵ４０には、ＲＯＭ(Read Only Memory)４１、ワークメモリ用のＲＡＭ(Random Access Memory)４２、ＳＤＲＡＭ(Synchronous Dynamic RAM)４３及び操作部４４がそれぞれ接続され、ユーザ操作に対応する各種命令が操作部４４から与えられる。
【００３４】
ＣＰＵ４０は、この操作部４４から与えられる番組リスト作成命令を待ち受ける。またＣＰＵ４０は、車載アンテナＡＴから供給される所定のディジタル放送波ＢＳを受信しているときには、ＡＧＣ信号Ｓ１と、ディジタル放送波ＢＳに対する復調処理の完了の有無と、ディジタル放送波ＢＳに重畳されるトランスポートストリームＴＳから所定のＭＰＥＧデータＭＶＤ、ＭＳＤ及びＭＡＤを分離する処理の完了の有無とを指標として、別の放送エリアに移動したか否かを判定する。
【００３５】
そしてＣＰＵ４０は、番組リスト作成命令を受けた場合、あるいは、別の放送エリアに移動したと判定した場合には、ＲＯＭに格納されたプログラムに基づいてチューナ部２及びデータ処理部３を制御し、番組リスト作成処理を実行するようになされている。
【００３６】
ここで、このＣＰＵ４０による番組リスト作成処理を、最初に番組リストを作成する場合と、２回目以降に番組リストを作成する場合とに分けて以下に説明する。
【００３７】
（２−１）最初に番組リストを作成する場合
すなわちＣＰＵ４０は、番組リスト作成命令を受けた場合、あるいは、別の放送エリアに移動したと判定した場合には、周波数転換部２１に対して、受信周波数を順次転換する処理（以下、これをチューニング処理と呼ぶ）を開始させる。
【００３８】
またＣＰＵ４０は、このチューニング処理の開始に応じて、車載アンテナＡＴ及び周波数転換部２１を順次介してＯＦＤＭ復調部２２に供給される受信信号の信号レベルに基づいて、現放送エリアで受信可能なディジタル放送波ＢＳであるか否かを判定する。
【００３９】
ここで、ＣＰＵ４０は、ディジタル放送波ＢＳであると判定した場合には、ＯＦＤＭ復調部２２における復調処理を開始させると共に、当該復調処理が終了するまで周波数転換部２１におけるチューニング処理を停止（ロック）させる。
【００４０】
このチューニング処理の停止期間における復調処理結果として得られるトランスポートストリームＴＳは、フロントエンド３１及びデマルチプレクサ３２を順次介してバッファ３３に一時的に記憶される。
【００４１】
ＣＰＵ４０は、このトランスポートストリームＴＳに多重化されたＳＩ(Service Information)と呼ばれるテーブル（以下、これをＳＩテーブルと呼ぶ）から、当該トランスポートストリームＴＳに多重化された複数の放送番組に関する各種情報を参照する。
【００４２】
具体的には、ＳＩテーブルに割り当てられたＰＩＤ(Program Identification)に基づいて、ＰＡＴ(Program Association Table)内のＮＩＴ(Network Information Table)に格納されているＬＣＮ(Logical Channel Number)及び送信チャンネル（搬送波周波数）や、ＰＭＴ(Program Map Table) 内のＰＤＳＤ(Private Data Specific Descriptor)に記述されている放送番組名及び放送波発信場所などが参照される。
【００４３】
かかるＬＣＮは、地上ディジタル放送（Digital Video Broadcasting - Terrestrial）規格で定められており、図２に示すように、放送番組に対して固有の番号を割り当てるようになされている。ちなみにＰＤＳＤには、例えば図３に示すように、放送波発信場所(“Crystal Palace”)、放送局名（”BBC”）、放送番組名（”BBC 1 Nouth-East”）などが記述されている。
【００４４】
ＣＰＵ４０は、例えば図４に示すように、ＬＣＮ（001、002、……）と、当該ＬＣＮに対応する放送番組の局名（以下、これを放送番組名と呼ぶ）(BBC ONE、BBC TWO、……)とを対応付けると共に降順に並べて一覧表（以下、これを番組リストと呼ぶ）ＰＬを作成し、この番組リストＰＬをデータとしてＳＤＲＡＭ４３に記憶する。
【００４５】
このときＣＰＵ４０は、放送波発信場所（Crystal Palace）及び送信チャンネル（25ch、25ch、……）を、放送番組の詳細情報を表すサブ項目（以下、これをリストサブ項目と呼ぶ）ＳＵ１、ＳＵ２、……、ＳＵｎとして作成し、これらリストサブ項目ＳＵＳＵ１〜ＳＵｎのデータを対応するＬＣＮにそれぞれ関連付けてＳＤＲＡＭ４３に記憶する。
【００４６】
ちなみにこの図４の番組リストＰＬ及びリストサブ項目ＳＵｉは、図１５に示した９つの基地局のうち「Crystal Palace」の基地局を例とし、当該基地局における放送エリアで作成される場合を示したものである。
【００４７】
このようにしてＣＰＵ４０は、現放送エリアで受信可能な送信チャンネルでなる複数のディジタル放送波ＢＳを順次検出し、これらディジタル放送波ＢＳに対する復調結果として得られるトランスポートストリームＴＳに基づいて、現放送エリアでの番組リストＰＬを作成するようになされている。
【００４８】
なお、ＣＰＵ４０は、ユーザ操作に応じて操作部４４から番組リストの表示命令が与えられた場合には、ＳＤＲＡＭ４３に記憶した番組リストＰＬのデータを読み出し、当該番組リストＰＬを車載モニタ（図示せず）に表示させると共に、当該ＬＣＮ上にカーソルを表示させる。
【００４９】
またＣＰＵ４０は、操作部４４の操作に応じてカーソルを放送番組単位で移動させるようになされており、当該選択操作が行われると、このときカーソルが配置されたＬＣＮに対応するリストサブ項目ＳＵ１、ＳＵ２、……、又はＳＵｎの送信チャンネル（搬送波周波数）を周波数指定データＤ１（図１）として周波数転換部２１に送出すると共に、当該ＬＣＮに対応する放送番組名を番組指定データＤ２（図１）としてデマルチプレクサ３２に送出する。
【００５０】
この結果、このディジタル放送受信装置１では、ユーザによって指定された放送番組に対応する映像信号ＶＳ及び音声信号ＡＳが車載モニタ（図示せず）に出力されることとなり、当該ユーザは、自ら指定した放送番組を視聴することができる。
【００５１】
（２−２）２回目以降に番組リストを作成する場合
一方、ＣＰＵ４０は、２回目以降に番組リストを作成する場合、最初に番組リストを作成する場合と同様にしてチューナ部２及びデータ処理部３を制御し、現放送エリアでの新たな番組リスト及びリストサブ項目を作成するようになされている。
【００５２】
ここで、図５に示すように、このとき作成した番組リストＰＬｘ及びリストサブ項目ＳＵｘ１〜ＳＵｘｎ（図５（Ａ））と、当該作成前に既に作成された番組リストＰＬ及びリストサブ項目ＳＵ１〜ＳＵｎ（図５（Ｂ））とをそれぞれＳＤＲＡＭ４３に記憶すると仮定した場合、通常、これらリストサブ項目ＳＵｘ、ＳＵは異なるものの、番組リストＰＬｘ、ＰＬは同一となる。
【００５３】
従ってこの場合、ＳＤＲＡＭ４３の記憶容量が無駄に使用されることになる。また番組ＰＬｘ、ＰＬを表示するときには、これら番組リストＰＬｘ、ＰＬのうち現放送エリアのものを選択する操作が必須となるため煩雑化すると共に、いずれの番組リストＰＬｘ、ＰＬが現放送エリアのものであるかをユーザが把握できないといった事態も想定される。このような不都合は、番組リスト数の増加に応じて一段と深刻になる。
【００５４】
ちなみに図５（Ａ）の番組リストＰＬｘ及びリストサブ項目ＳＵｘｉは、図１５に示した「Reigate」の基地局における放送エリアで作成される場合を示したものであり、図５（Ｂ）の番組リストＰＬ及びリストサブ項目ＳＵｉは、図４で既に述べたように「Crystal Palace」の基地局における放送エリアで作成される場合を示したものである。
【００５５】
一方、図６に示すように、現作成時の番組リストＰＬｘと、当該作成前に既に作成された番組リストＰＬとをＬＣＮの番号順にソーティングすることによって新たな１つの番組リストＰＬＴを作成すると仮定した場合、当該番組リストＰＬｘ、ＰＬのうち現放送エリアのものを選択する操作を省くことができるが、それ以外の不都合はそのままである。
【００５６】
またこの場合には、番組リストＰＬＴの作成回数の増加に応じて、図７に示すように、ＬＣＮごとに連続して並べられる同一の放送番組名が増加するため、当該番組リストＰＬＴから希望する放送番組名を選択する操作が煩雑化する。殊に、この操作は、車載モニタなどのように、その表示領域ＳＡＲに一定の制限がある場合には、一段と煩雑化する傾向にある。
【００５７】
そこでこの実施の形態では、ＣＰＵ４０は、新たな番組リストＰＬｘを作成したときには、その現作成時の番組リストＰＬｘと、当該作成前に既に作成された番組リストＰＬ（ＳＤＲＡＭ４３に記憶された番組リストＰＬ）とにおけるＬＣＮを比較する。
【００５８】
ここで異なるＬＣＮがない場合、ＣＰＵ４０は、現作成時の番組リストＰＬｘを破棄する。これに対して異なるＬＣＮがあった場合、例えば図８に示すように、ＣＰＵ４０は、当該ＬＣＮ（708）と、そのＬＣＮに対応する放送番組名（▽▽▽）とを、ＳＤＲＡＭ４３に記憶された番組リストＰＬに付加することによってその番組リストＰＬのデータを更新すると共に、当該付加した放送番組名（▽▽▽）に対応する放送波発信場所（Reigate）及び送信チャンネル（◇ch）をリストサブ項目ＳＵ（ｎ＋１）としてＬＣＮ（708）に関連付けてＳＤＲＡＭ４３に記憶する。
【００５９】
またＣＰＵ４０は、新たな番組リストＰＬｘを作成したときには、ＬＣＤに関連付けて作成された新たなリストサブ項目ＳＵｘ１〜ＳＵｘｎ（図５（Ａ））の内容（放送波発信場所（Reigate）及び送信チャンネル（31ch、31ch、39ch、……、□ch））を、対応するリストサブ項目ＳＵ１〜ＳＵｎに書き込むことによって各リストサブ項目ＳＵ１〜ＳＵｎのデータをそれぞれ更新する。
【００６０】
このようにしてＣＰＵ４０は、２回目以降に番組リストを作成する場合には、既にＳＤＲＡＭ４３に記憶された番組リストＰＬ及びリストサブ項目ＳＵに対して相違する内容をその番組リストＰＬ及びリストサブ項目ＳＵに付加することによって、無駄な記憶領域の消費を回避することができるようになされている。
【００６１】
なお、ＣＰＵ４０は、番組リストＰＬを更新した状態において、操作部４４から番組リストの表示命令が与えられた場合には、当該更新前の番組リストを表示する場合と同様に、当該更新した番組リストＰＬを車載モニタ（図示せず）に表示させると共に、当該ＬＣＮ上にカーソルを表示させ、そのカーソルを操作部４４の操作に応じて放送番組単位で移動させる。
【００６２】
このときＣＰＵ４０は、図９に示すように、カーソルが配置されたＬＣＮに対応する例えばリストサブ項目ＳＵ１（放送波発信場所及び送信チャンネル）をポップアップ表示させると共に、当該リストサブ項目ＳＵ１のうち現放送エリアに対応する放送波発信場所及び送信チャンネルの領域を反転表示させるようになされている。
【００６３】
このようにしてこのディジタル放送受信装置１では、更新前後で相違のないＬＣＮと、放送番組との対応関係及びこれらの表示順が常に定表示されるため、ユーザは、新たな放送番組の有無を直感的に把握することができる。
【００６４】
またこのＬＣＮには、対応する放送番組における放送波発信場所及び送信チャンネルがポップアップ表示されるため、ユーザは、煩雑な操作を行うことなく、現在及び過去の受信状況を直感的に把握することができる。
【００６５】
さらにポップアップ表示内容として、放送エリアに応じて変化する放送波発信場所及び送信チャンネルが選定されているため、表示領域に一定の制限がある場合であっても、当該ポップアップ表示を採用しない場合に比して、放送エリアごとの放送波発信場所及び送信チャンネルを同一視させる確率が向上する。従ってユーザは、現在及び過去の受信状況をより一段と直感的に把握することができる。
【００６６】
（２−３）番組リスト作成処理手順
ここで、番組リストＰＬが既にＳＤＲＡＭ４３に記憶された状態であり、当該番組リストＰＬにおける所定の放送番組を受信している状態での番組リスト作成処理手順を図１０に示す。
【００６７】
すなわちＣＰＵ４０は、最初の番組リストＰＬにおける所定の放送番組が選択されると、この番組リスト作成処理手順ＲＴのステップＳＰ０を開始し、続くステップＳＰ１において、番組リストＰＬ（図８）に基づいて、当該選択された放送番組の送信チャンネル（搬送周波数）のディジタル放送波ＢＳ（図１）を受信し始める。
【００６８】
次いで、ＣＰＵ４０は、ステップＳＰ２において、ディジタル放送波ＢＳの信号レベル等に基づいて、現放送エリアで受信可能な状態であるか否かを所定周期ごとに判定し、当該受信可能な状態ではないと判定した場合には、次のステップＳＰ３に移る。
【００６９】
ＣＰＵ４０は、このステップＳＰ３において、ステップＳＰ２での判定時点をトリガーとして、受信可能な状態であるか否かの判定を予め設定された期間だけ継続し、続くステップＳＰ４において、当該期間を経過した時点で未だ現放送エリアで受信不可能な状態であるか否かを再び判定する。
【００７０】
ここで、設定期間を経過するまでに現放送エリアで受信可能な状態であるものと判定していた場合、このことは例えばトンネルを移動している状況下等であったことを意味しており、この場合、ＣＰＵ４０は、ステップＳＰ２に戻って上述の処理を繰り返す。
【００７１】
これに対して、設定期間を経過しても未だ現放送エリアで受信不可能な状態であるものと判定した場合、このことは別の放送エリアに移動したことを意味しており、この場合、ＣＰＵ４０は、次のステップＳＰ５において、番組リストＰＬに関連付けられた各リストサブ項目ＳＵ１〜ＳＵｎ（図８）のうち、このとき受信していた放送番組のＬＣＮに関連付けられた例えばリストサブ項目ＳＵ１を参照し、次のステップＳＰ６に移る。
【００７２】
ここで、ＣＰＵ４０は、このステップＳＰ６において、ステップＳＰ５で参照したリストサブ項目ＳＵ１に、受信中であった送信チャンネル以外の送信チャンネルが記述されていると判定した場合、次のステップＳＰ７において、当該受信中であった送信チャンネル（例えば図８における「25ch」）から別の送信チャンネル（例えば図８における「31ch」）に切り替え、その切り替えた送信チャンネルのディジタル放送波ＢＳを受信し始める。
【００７３】
そしてＣＰＵ４０は、次のステップＳＰ８において、番組リストＰＬを車載モニタ（図示せず）に表示させると共に、リストサブ項目ＳＵ１をポップアップ表示させ、かつステップＳＰ７で切り替えた送信チャンネルに対応する領域を反転表示させる（図９）。
【００７４】
またＣＰＵ４０は、次のステップＳＰ９において、ステップＳＰ７で受信し始めたディジタル放送波ＢＳを受信できたか否かを判定し、当該受信できたと判定した場合にはステップＳＰ２に戻って上述の処理を繰り返す。これに対してＣＰＵ４０は、受信できていないと判定した場合、かつ、続くステップＳＰ１０において、リストサブ項目ＳＵ１に記述されている全ての送信チャンネルにおける受信の可否を探索し終わっていないと判定した場合には、ステップＳＰ７に戻って上述の処理を繰り返す。
【００７５】
このようにしてＣＰＵ４０は、受信中であった送信チャンネル以外の送信チャンネルがリストサブ項目ＳＵ１に記述されていた場合には、当該受信中以外の全ての送信チャンネルにおける受信の可否を探索すると共に、当該探索中の状況を表示するようになされている。従って、ユーザは、自ら操作することなく、別の放送エリアに移動したことや、当該放送エリアの場所等を把握することができる。
【００７６】
一方、ステップＳＰ６において受信中であった送信チャンネル以外の送信チャンネルがリストサブ項目ＳＵ１に記述されていないと判定した場合、又は、当該受信中以外のいずれの送信チャンネルでも受信できなかった場合、このことは、過去に一度も受信したことのない放送エリアに移動したことを意味する。この場合、ＣＰＵ４０は、ステップＳＰ１１に移って、その旨をユーザに対して車載モニタ（図示せず）を介して通知すると共に、当該放送エリアで受信可能なディジタル放送波ＢＳを探索する処理（自動選局処理）を実行する。
【００７７】
そしてＣＰＵ４０は、ステップＳＰ１２において、ステップＳＰ１１での自動選局処理結果に基づいて新たな番組リストＰＬｘ及びリストサブ項目ＳＵｘ１〜ＳＵｘｎ（例えば図５）を作成し、当該番組リストＰＬｘと、当該作成前に既に作成された番組リストＰＬ（ＳＤＲＡＭ４３に記憶された番組リストＰＬ）とにおけるＬＣＮを比較し、当該ＬＣＮに相違があるか否かを判定する。
【００７８】
ＣＰＵ４０は、相違するＬＣＮがあった場合には、ステップＳＰ１３において、図８で上述したようにして、ＳＤＲＡＭ４３に記憶された番組リストＰＬに対して、当該相違するＬＣＮと、そのＬＣＮに対応する放送番組名とを付加して番組リストＰＬを更新し、続くステップＳＰ１４において、ＳＤＲＡＭ４３に記憶されたリストサブ項目ＳＵ１〜ＳＵｎそれぞれを、対応するリストサブ項目ＳＵｘ１〜ＳＵｘｎの内容を付加して更新した後、ステップＳＰ１５に移ってこの番組リスト作成処理手順ＲＴを終了する。
【００７９】
これに対してＣＰＵ４０は、相違するＬＣＮがない場合には、番組リストＰＬｘを破棄し、ステップＳＰ１４において、ＳＤＲＡＭ４３に記憶されたリストサブ項目ＳＵ１〜ＳＵｎそれぞれを、対応するリストサブ項目ＳＵｘ１〜ＳＵｘｎの内容を付加して更新した後、ステップＳＰ１５に移ってこの番組リスト作成処理手順ＲＴを終了する。
【００８０】
このようにしてＣＰＵ４０は、番組リスト作成処理を実行することができるようになされている。
【００８１】
（３）本実施の形態の動作及び効果
以上の構成において、このディジタル放送受信装置１は、受信可能なディジタル放送波ＢＳ（図１）を検出し、当該ディジタル放送波ＢＳに重畳されるトランスポートストリームＴＳ（図１）に基づいて、そのトランスポートストリームＴＳに多重化された複数の放送番組に関する情報を参照し、放送番組名とＬＣＮをそれぞれ対応付けると共に降順に並べて番組リストＰＬｘ（図５）を作成する。
【００８２】
このときディジタル放送受信装置１は、現時点で作成した番組リストＰＬｘと、その直前に作成した番組リストＰＬとにおけるＬＣＮが共通する場合には、当該ＬＣＮに関連付けられたサブ項目ＳＵ１〜ＳＵｎに、放送波発信場所及び送信チャンネルを付加する（図８）。
【００８３】
またこのディジタル放送受信装置１は、番組リストの表示命令を受けたとき、あるいは、別の放送エリアに移動したと判定したときには、ＬＳＮに基づいて、番組リストＰＬを表示画面に表示させると共に、対応するサブ項目ＳＵ１、ＳＵ２、……、又はＳＵｎの放送波発信場所及び送信チャンネルをポップアップ表示させる（図９）。
【００８４】
従って、このディジタル放送受信装置１では、放送番組に対して固有のＬＣＮを基準として、放送番組と、放送波発信場所及び送信チャンネルとが常に一定の秩序を保って表示されるため、ユーザは、放送番組と、放送波発信場所及び送信チャンネルとを直感的に把握することができる。
【００８５】
またこのディジタル放送受信装置１では、ＤＶＢ−Ｔだけではなく、各国で採用されている全てのディジタル放送方式で運用されているＬＣＮが採用されているため、いずれの国でこのディジタル放送受信装置１が使用された場合であっても、その国のユーザは、送番組と、放送波発信場所及び送信チャンネルとを直感的に把握することができる。
【００８６】
さらにこのディジタル放送受信装置１では、放送番組に対して固有のＬＣＮを、異なった放送エリアごとに同一の放送番組を検出するための指標として用いているため、当該ＬＣＮに対する放送番組の割り当て状態が変更された場合であっても、番組リストＰＬの作成に影響はないのみならず、例えば図１１に示すＮＩＴの記述内容に基づいて異なった放送エリアごとに同一の放送番組を検出する場合に比して、格段に処理負荷を低減することができる。
【００８７】
このようにこのディジタル放送受信装置１は、ＬＣＮを採用することで各種メリットを得ることができる。
【００８８】
また、このディジタル放送受信装置１では、対応する放送番組における放送波発信場所及び送信チャンネルがポップアップ表示されるため、ユーザは、煩雑な操作を行うことなく、現在及び過去の受信状況を直感的に把握することができる。
【００８９】
さらにこのディジタル放送受信装置１では、ポップアップ表示内容として、放送エリアに応じて変化する放送波発信場所及び送信チャンネルが選定されているため、表示領域に一定の制限がある場合であっても、当該ポップアップ表示を採用しない場合に比して、放送エリアごとの放送波発信場所及び送信チャンネルを同一視させる確率が向上する。従ってユーザは、現在及び過去の受信状況をより一段と直感的に把握することができる。
【００９０】
以上の構成によれば、放送番組名とＬＣＮとをそれぞれ対応付けると共に所定順に並べて番組リストを作成し、現番組リストと、その直前に作成された前番組リストとにおけるＬＣＮが共通する場合には、そのＬＣＮに関連付けられたサブ項目に放送番組名に関する詳細情報を付加し、当該ＬＣＮに基づいて、リストの放送番組名を表示画面に表示させると共に、対応するサブ項目の内容をポップアップ表示させるようにしたことにより、放送番組と、放送波発信場所及び送信チャンネルとが常に一定の秩序を保って表示されるため、ユーザは、放送番組と、放送波発信場所及び送信チャンネルとを直感的に把握することができ、かくして使い勝手を向上することができる。
【００９１】
（４）他の実施の形態
上述の実施の形態においては、放送番組の局名とＬＣＮとを対応付けると共に昇順に並べて番組リストＰＬを作成するようにした場合について述べたが、本発明はこれに限らず、当該対応付けた放送番組の局名とＬＣＮとを降順に並べるようにしても良く、所定のルールに従って並べるようにしても良い。
【００９２】
この番組リストＰＬにおける提供元情報として、上述の実施の形態では放送番組の局名を適用するようにしたが、本発明は、当該局名に代えて又は加えて、例えば放送番組局を表す図形や記号等を適用するようにしても良い。
【００９３】
また番組リストＰＬにおける放送番組に対して固有に割り当てられた識別子として、上述の実施の形態ではＬＣＮを適用するようにしたが、本発明は、当該ＬＣＮに代えて又は加えて、例えば、このディジタル放送受信装置１に対して固有に割り当てられたＩＤ(Identification)や、生体から抽出した固有の生体情報等を適用するようにしても良い。
【００９４】
また上述の実施の形態においては、車載アンテナＡＴを介して受信したディジタル放送波ＢＳ（図１）に重畳されるトランスポートストリームＴＳを参照して、番組リストＰＬを作成するようにした場合について述べたが、本発明はこれに限らず、放送エリアごとの番組リストと、対応するリストサブ項目とを予め作成して例えばＣＤ(Compact Disk)等の記憶媒体に記録しておき、別の放送エリアに移動したことを検出するたびにその記憶媒体から対応する放送エリアの番組リストと、対応するリストサブ項目とを読み出すようにしても良い。
【００９５】
さらに上述の実施の形態においては、現時点で作成された現リストと、その直前に作成された前リストとにおける識別子が共通する場合には、その識別子に関連付けられたサブ項目に提供元情報に関する詳細情報を付加する付加手段として、放送波発信場所及び送信チャンネルを、対応するサブ項目ＳＵ１、ＳＵ２、……、ＳＵｎに付加するようにした場合について述べたが、本発明はこれに限らず、当該放送波発信場所及び送信チャンネルに代えて又は加えて、例えば、放送波発信場所の位置情報や、放送番組でのイベント情報を、対応するサブ項目ＳＵ１、ＳＵ２、……、ＳＵｎに作成するようにしても良い。
【００９６】
また例えば、識別子に対して第１のサブ項目を関連付けると共に、その第１のサブ項目に対して第２のサブ項目を関連付けるようにし、当該第１のサブ項目に放送波発信場所及び送信チャンネルを付加すると共に、当該第２のサブ項目に放送波発信場所の位置情報及び放送番組を付加するようにしても良い。このように重要度に応じて多段階の階層項目を作成するようにすれば、当該階層項目に応じて段階的にポップアップ表示をすることができるため、ユーザに対して有用な情報順序を認識させることができる。
【００９７】
さらに上述の実施の形態においては、放送番組の局名とＬＣＮとでなる番組リストＰＬを表示するようにした場合について述べたが、本発明はこれに限らず、当該放送番組の局名のみを表示するようにしても良い。この場合、この放送番組の局名上にカーソルを表示させ、そのカーソルを操作部４４の操作に応じて放送番組単位で移動させるようにすれば、上述の実施の形態と同様にして、サブ項目ＳＵ１、ＳＵ２、……、又はＳＵｎをポップアップ表示することができる。これに加えてこの場合、ＬＣＮを省く分だけより多くの情報を表示画面に表示させることが可能となる。
【産業上の利用可能性】
【００９８】
本発明は、ディジタル放送波を受信する場合であって、特に、移動体でディジタル放送波を受信する場合に利用可能である。
【図面の簡単な説明】
【００９９】
【図１】本実施の形態によるディジタル放送受信装置を示すブロック図である。
【図２】ＬＣＮを示す略線図である。
【図３】ＰＤＳＤにおける記述例を示す略線図である。
【図４】番組リスト及びリストサブ項目例を示す略線図である。
【図５】現番組リストと前回の番組リストとの説明に供する略線図である。
【図６】番組リストのソーティングの説明に供する略線図である。
【図７】複数回ソーティングした場合の番組リストを示す略線図である。
【図８】番組リスト及びリストサブ項目の更新例を示す略線図である。
【図９】番組リストの表示形態を示す略線図である。
【図１０】番組リスト作成処理手順を示すフローチャートである。
【図１１】ＮＩＴ内のテーブル情報を示す略線図である。
【図１２】ディジタル放送とアナログ放送とにおける番組数の相違の説明に供する略線図である。
【図１３】ディジタル放送の送信形態の説明に供する略線図である。
【図１４】番組リストの作成例を示す略線図である。
【図１５】ロンドン近郊におけるディジタル放送の送信状況を示す略線図である。
【符号の説明】
【０１００】
１……ディジタル放送受信装置、２……チューナ部、３……データ処理部、４……制御部、２１……周波数転換部、２２……ＯＦＤＭ復調部、３２……デマルチプレクサ、３３……バッファ、４０……ＣＰＵ、４３……ＳＤＲＡＭ、４４……操作部、Ｄ１……周波数指定データ、Ｄ２……番組指定データ、Ｓ１……ＡＧＣ信号、ＢＳ……ディジタル放送波、ＴＳ……トランスポートストリーム、ＰＬ……番組リスト、ＳＵ１〜ＳＵｎ……リストサブ項目、ＲＴ……番組リスト作成処理手順。
【図１】
0004839771.tif 000002
【図２】
0004839771.tif 000003
【図３】
0004839771.tif 000004
【図４】
0004839771.tif 000005
【図５】
0004839771.tif 000006
【図６】
0004839771.tif 000007
【図７】
0004839771.tif 000008
【図８】
0004839771.tif 000009
【図９】
0004839771.tif 000010
【図１０】
0004839771.tif 000011
【図１１】
0004839771.tif 000012
【図１２】
0004839771.tif 000013
【図１３】
0004839771.tif 000014
【図１４】
0004839771.tif 000015
【図１５】
0004839771.tif 000016